(57)【要約】【課題】  転写ユニットの開閉操作時に、位置決めブロックがサーマルヘッドに衝突することがなく、その破損などを防止することができるようにする。【解決手段】  印刷機本体８１と、この印刷機本体８１内に設けられ、回動することによりサーマルヘッド１９を印刷位置とこの印刷位置から退避する退避位置に移動させるサーマルヘッドユニット８２と、印刷機本体８１に開閉自在に設けられた転写ユニット８３と、この転写ユニット８３に設けられ、該転写ユニット８３の閉時にサーマルヘッドユニット８２側に突出してサーマルヘッド１９を印刷位置に位置決めする位置決めブロック１０８と、サーマルヘッド１９が印刷位置に移動されたことに基づいて転写ユニット８３の開放を規制する第１の規制リンク８５とを具備する。【選択図】図９
2006175671.tif 000002
【特許請求の範囲】
【請求項１】
装置本体と、
この装置本体内に設けられ、回動することにより印字ヘッドを印刷位置とこの印刷位置から退避する退避位置に移動させ、前記印刷位置で前記印字ヘッドによって転写体を介して中間転写体に画像を印刷する印刷ユニットと、
前記装置本体に開閉自在に設けられ、前記中間転写体に印刷された画像を被転写体に転写する転写ユニットと、
この転写ユニットに設けられ、該転写ユニットの閉時に前記印刷ユニット側に突出して前記印字ヘッドを前記印刷位置に位置決めする位置決め手段と、
前記印字ヘッドが前記印刷位置に移動されたのに基づいて前記転写ユニットの開放を規制する開放規制手段と
を具備することを特徴とする印刷装置。
【請求項２】
前記開放規制手段は、前記印字ヘッドが前記退避位置に移動されたことに基づいて前記転写ユニットの開放規制を解除することを特徴とする請求項１記載の印刷装置。
【請求項３】
前記転写ユニットを前記装置本体にロックするロック手段と、
このロック手段のロックを解除するロック解除手段とを具備し、
前記開放規制手段は、中途部が回動自在に支持された第１の規制リンクと、この第１の規制リンクが第１の方向に回動するように付勢する第１の付勢部材とを有し、前記印字ヘッドが前記印刷位置に移動されたのに基づいて前記第１の付勢部材の付勢力により前記第１の規制リンクの一端部側を前記ロック解除手段に当接させてそのロック解除動作を規制し、前記印字ヘッドが前記退避位置に移動されたのに基づいて前記第１の規制リンクを前記第１の付勢部材の付勢力に抗して前記第１の方向とは逆の第２の方向に回動させてその一端部側を前記ロック解除手段から離間させてそのロック解除動作を可能ならしめることを特徴とする請求項１または２記載の印刷装置。
【請求項４】
装置本体と、
この装置本体内に設けられ、回動することにより印字ヘッドを印刷位置とこの印刷位置から退避する退避位置に移動させ、前記印刷位置で前記印字ヘッドによって転写体を介して中間転写体に画像を印刷する印刷ユニットと、
前記装置本体に開閉自在に設けられ、前記中間転写体に印刷された画像を被転写体に転写する転写ユニットと、
前記転写ユニットに設けられ、該転写ユニットの閉時に前記印刷ユニット側に突出して前記印字ヘッドを前記印刷位置に位置決めする位置決め手段と、
前記転写ユニットが開放されたのに基づいて前記印字ヘッドが前記印刷位置に移動することを規制する移動規制手段と
を具備することを特徴とする印刷装置。
【請求項５】
前記移動規制手段は、前記転写ユニットが閉塞されたのに基づいて前記印字ヘッドの移動規制を解除することを特徴とする請求項４記載の印刷装置。
【請求項６】
前記転写ユニットを前記装置本体にロックするロック手段と、
このロック手段のロックを解除するロック解除手段とを具備し、
前記移動規制手段は、中途部が回動自在に支持された第２の規制リンクと、この第２の規制リンクが第１の方向に回動するように付勢する第２の付勢部材とを有し、前記印刷ユニットが前記退避位置に退避された状態で、前記転写ユニットが開放されたのに基づいて前記第２の付勢部材の付勢力により前記第２の規制リンクの一端部側を前記印刷ユニットに当接させて印刷位置への移動を規制し、前記転写ユニットが閉じられたのに基づいて前記第２の規制リンクを前記第２の付勢部材の付勢力に抗して前記第１の方向とは逆の第２の方向に回動させてその一端部側を前記印刷ユニットから離間させて印刷位置への移動を可能ならしめることを特徴とする請求項４または５記載の印刷装置。
【発明の詳細な説明】
【技術分野】
【０００１】
本発明は、例えば、通帳発行機に備えられて熱転写方式で画像を印刷する印刷装置に関する。
【背景技術】
【０００２】
この種の印刷装置には、印刷部のサーマルヘッドによりインクリボンを加熱して中間転写フィルムの受像層に画像を印刷し、この画像を受像層とともに転写部のヒートローラにより被転写体に転写するものがある（例えば、特許文献１参照。）。
【０００３】
この印刷装置は、装置本体内にサーマルヘッドユニットを備えるとともに、装置本体に転写ユニットを開閉自在に取り付けている。
【０００４】
サーマルヘッドユニットには、サーマルヘッド、インクリボンなどが取り付けられている。
【０００５】
転写ユニットには、サーマルヘッドに対向するプラテンローラ、このプラテンローラの近傍に位置してサーマルヘッドを位置決めする位置決めブロック、中間転写フィルム、転写ローラなどが取付けられている。
【０００６】
サーマルヘッドユニットは、消耗品であるインクリボンの交換を容易にするために、上方に退避する構造となっている。即ち、サーマルヘッドユニットのロック解除レバーを操作してサーマルヘッドユニットのロックを解除することで、サーマルヘッドユニットを開閉支点を中心に約３５度開くことができるようになっている。
【０００７】
サーマルヘッドユニットが退避すると、ロックレバーにより固定され、このロックレバーのロックが解除されると、退避位置から印刷位置への移動が可能になる。
【０００８】
転写ユニットは、消耗品である中間転写フィルムの交換が容易にできるようにするため、或いは、通帳類の搬送ガイド板の清掃などのために、大きく開く構造となっている。
【０００９】
即ち、転写ユニットのロック解除レバーを操作して転写ユニットのロックを解除することで、転写ユニットを開閉支点を中心に約７０度開くことができるようになっている。
【００１０】
転写ユニットが開いた状態でのロック機構はなく、転写ユニットは自重でその静止状態を保つ。
【００１１】
転写ユニットに取付けられたサーマルヘッドの位置決めブロックは、機能的な要求から、サーマルヘッドと対向するプラテンローラの近傍に設けられ、先端部をサーマルヘッド側に突出させている。このため、サーマルヘッドユニットが印字位置に移動された状態で転写ユニットを開閉した場合、サーマルヘッドの位置決めブロックとサーマルヘッドとが衝突してしまう位置関係となっている。
【００１２】
従って、転写ユニットを開閉する場合には、サーマルヘッドとその位置決めブロックとの衝突による破損等を防ぐため、サーマルヘッドユニットが退避位置にあることが必須となる。
【特許文献１】特開２００１−７１５４６号公報
【発明の開示】
【発明が解決しようとする課題】
【００１３】
しかしながら、従来においては、転写ユニットの開閉動作と、サーマルヘッドユニットの退避動作との間には機構的な制限はなく、両者はそれぞれ自由に開閉動作、退避動作が可能となっていた。
【００１４】
このため、転写ユニットを開閉操作する場合には、操作者が「転写ユニット開閉時にはサーマルヘッドユニットを退避位置にしておく」という条件を意識し、あらかじめサーマルヘッドユニットを退避しておく必要があった。
【００１５】
従って、操作者が不用意に又は誤って、サーマルヘッドユニットを退避させずに転写ユニットの開閉操作を行ってしまうことがある。この場合には、サーマルヘッドと位置決めブロックとが衝突して破損等の原因になるという問題があった。
【００１６】
本発明は上記事情に着目してなされたもので、その目的とするところは、印字ユニットが退避位置に退避していない場合には、転写ユニットの開閉動作を規制して印字ユニットと位置決め手段との衝突を防止できるようにした印刷装置を提供することを目的とする。
【課題を解決するための手段】
【００１７】
上記課題を解決するため、請求項１記載のものは、装置本体と、この装置本体内に設けられ、回動することにより印字ヘッドを印刷位置とこの印刷位置から退避する退避位置に移動させ、前記印刷位置で前記印字ヘッドによって転写体を介して中間転写体に画像を印刷する印刷ユニットと、前記装置本体に開閉自在に設けられ、前記中間転写体に印刷された画像を被転写体に転写する転写ユニットと、この転写ユニットに設けられ、該転写ユニットの閉時に前記印刷ユニット側に突出して前記印字ヘッドを前記印刷位置に位置決めする位置決め手段と、前記印字ヘッドが前記印刷位置に移動されたのに基づいて前記転写ユニットの開放を規制する開放規制手段とを具備することを特徴とする。
【００１８】
請求項４記載のものは、装置本体と、この装置本体内に設けられ、回動することにより印字ヘッドを印刷位置とこの印刷位置から退避する退避位置に移動させ、前記印刷位置で前記印字ヘッドによって転写体を介して中間転写体に画像を印刷する印刷ユニットと、前記装置本体に開閉自在に設けられ、前記中間転写体に印刷された画像を被転写体に転写する転写ユニットと、前記転写ユニットに設けられ、該転写ユニットの閉時に前記印刷ユニット側に突出して前記印字ヘッドを前記印刷位置に位置決めする位置決め手段と、前記転写ユニットが開放されたのに基づいて前記印字ヘッドが前記印刷位置に移動することを規制する移動規制手段とを具備することを特徴とする。
【発明の効果】
【００１９】
本発明によれば、印刷ユニットが退避されていない状態では、転写ユニットの開放を規制し、転写ユニットが開放された状態では、印刷ユニットの印字位置への移動を規制するため、転写ユニットの開閉操作時に、位置決め手段が印字ヘッドに衝突することがなく、その破損などを防止することができる。
【発明を実施するための最良の形態】
【００２０】
以下、本発明を図面に示す実施の形態を参照して詳細に説明する。  
図１は本発明の一実施の形態である通帳類印刷装置１を示す全体構成図である。
【００２１】
この通帳類印刷装置１は通帳類取込部４を備え、この通帳類取込部４には被転写体としての通帳類Ｔが閉じた状態で複数冊積層されてセットされ、一冊ずつ取り込まれるようになっている。この取込まれた通帳類Ｔは搬送手段としての複数個の搬送ローラ対２によって搬送路３に沿って搬送される。搬送路３中には通帳類Ｔの搬送方向に沿って第１のＯＣＲ読取部５、ページ捲り部６、直接印刷部７、印刷装置としての中間転写印刷装置８、読取手段としての第２のＯＣＲ読取部９、折畳み部１４、及び無線ＩＣ Ｒ／Ｗユニット１０が配設されている。
【００２２】
また、搬送路３の排出端側には通帳類Ｔの排出方向を第１の方向と第２の方向に切り換える排出ゲート１１が設けられ、第１の方向には正常な通帳類Ｔを集積させる正常通帳集積部１２、第２の方向には不良な通帳類を集積させる不良通帳集積部１３が配設されている。
【００２３】
図２は、上記した中間転写印刷装置８を示すものである。
【００２４】
中間転写印刷装置８は機能的に印刷手段としての情報印刷部（以下、印刷部という）１６と、転写手段としてのオーバーコート転写部（以下、転写部という）１７とを有して構成されている。
【００２５】
印刷部１６としては熱溶融転写印刷方式のものが採用されている。即ち、印刷ヘッドとしてのサーマルヘッド１９とプラテンローラ２０に挟まれるように溶融インクリボン２２と中間転写材としての中間転写リボン２１とを配置している。サーマルヘッド１９が、溶融インクリボン２２と中間転写リボン２１とを介してプラテンローラ２０に圧接されることにより中間転写リボン２１の表面に情報等が印刷される。
【００２６】
この熱溶融転写方式の特徴としては、画像耐久性が高いこと、インク材料に機能性材料を適用することが比較的容易なこと（例えば蛍光顔料、アルミ蒸着薄膜）などがあり、偽造防止を目的とする印刷物に適している。
【００２７】
溶融インクリボン２２のベースフィルム厚やインク層厚は、印刷ドット再現性に極めて重要なパラメータであり、インクリボン総厚としては３〜２５μｍであり、望ましくは４〜１０μｍである。
【００２８】
一方、中間転写リボン２１の後述するベースフィルムの厚さや、受像兼接着層の厚さは、接着性や膜切れ特性に影響を与えるパラメータであり、中間転写リボン２１の層厚は、１０〜１００μｍであり、望ましくは２５〜５０μｍである。
【００２９】
プラテンローラ２０は硬質のゴム材料を表面に用いたローラで、ゴム硬度が上がるほどに微小ドットの再現性が向上するが、一方では最適なプラテンローラ２０とサーマルヘッド１９の位置関係を得ることが難しくなる。このため、硬度は７５°以上、望ましくは８５〜９７°である。また、研磨したゴム表面の表面粗さも、表面平滑性が上がるほどに微小ドットの再現性が向上する。このため、表面粗さは中心線平均粗さＲａで１μｍ以下、望ましくは０．５μｍ程度であることが要求される。
【００３０】
中間転写リボン２１を搬送する駆動力は、一般的にプラテンローラ２０に駆動機構を設けることが多いが、上記の硬度と平滑性から中間転写リボン２１とプラテンローラ２０の摩擦係数が上がらず、また安定しない。
【００３１】
このため、プラテンローラ２０の下流（ヒートローラ側）直近に別途リボン駆動ローラ２３を設ける。リボン駆動ローラ２３は硬度３０〜６０度のローラを用い、中間転写リボン２１はリボン駆動ローラ２３に対して出来るだけ巻付き角が大きいほうが良い。実施例では９０°から１３０°の巻き付き角をえられるようにテンショナ２４を配置する。
【００３２】
テンショナ２４には図示しないバネ機構が設けられ、限られた可動範囲内で中間転写リボン２１にテンションを与えて、リボン駆動ローラ２３と中間転写リボン２１が常に適切に接触する状態を作り出す。
【００３３】
リボン駆動ローラ２３の駆動は５相ステッピングモータ、タイミングベルト、プーリによる減速機構の組み合わせにより、正確に搬送が行われる。また、サーマルヘッド１９はニアエッジ、またはコーナエッジタイプのヘッドを用い、熱時剥離による印刷を行うことが望ましい。
【００３４】
転写部１７は通帳類搬送路３を介して対向配置されるヒートローラ３５とバックアップローラ３６を備えている。ヒートローラ３５はＤＣサーボモータ若しくはステッピングモータにより正確に一定速度で駆動可能になっており、回転自在なバックアップローラ３６との間にはコイルバネ３７で発生された圧力が付与されるようになっている。
【００３５】
図３（ａ）〜（ｃ）は中間転写リボン２１の構成を示す断面図である。
【００３６】
図３（ａ）に示す中間転写リボン２１は、基材としてのＰＥＴ（ポリエチレンテレフタレート）リボン２６の表面に、透明樹脂によるホログラム形成層と金属化合物の蒸着層による透明ホログラム層２８、受像層兼接着層としてのポリエステル系樹脂２９を積層したものである。
【００３７】
また、図３（ｂ）に示す中間転写リボン２１は、基材としてのＰＥＴフィルム２６の表面に、剥離層としてのフェノキシ系樹脂２７、透明樹脂によるホログラム形成層と金属化合物の蒸着層による透明ホログラム層２８、受像層兼接着層としてのポリエステル系樹脂２９を積層したものである。
【００３８】
さらに、図３（ｃ）に示す中間転写リボン２１は、基材としてのＰＥＴフィルム２６の表面に、剥離層としてのフェノキシ系樹脂２７、保護層３０、透明樹脂によるホログラム形成層と金属化合物の蒸着層による透明ホログラム層２８、受像層兼接着層としてのポリエステル系樹脂２９を積層したものである。
【００３９】
図４は上記した通帳類取込部４にセットされる通帳類Ｔを開いた状態で示すものである。
【００４０】
この通帳類Ｔの開かれた表紙Ｔａの内面には通帳類固有情報としての通帳類固有番号４２が記録されているとともに、無線ＩＣ４３が内蔵されている。
【００４１】
図５は上記した通帳類印刷装置１の駆動制御系を示すブロック図である。
【００４２】
図中５１はデータ入力制御部で、このデータ入力制御部５１に印刷装置１が接続されている。データ入力制御部５１には主制御部５２が設けられ、この主制御部５２には制御回路を介してメモリ５３、インターフエース部５４、操作パネル５５、及び画像入力部５６が接続されている。
【００４３】
印刷装置１には生成手段としての生成部５８ａ及び判別手段としての判別部５８ｂを有して構成される装置制御部５８が設けられ、この装置制御部５８には制御回路を介して直接印刷画像処理部６７、中間転写画像処理部６８、ヒータ温度制御部６０、通帳類搬送制御部６１、画像形成制御部６２、光学式文字認識部６９、無線読取／書込部７３が配設されている。
【００４４】
上記した直接印刷画像処理部６７にはサーマルヘッド７ａの印字動作を制御するヘッド制御部６３が接続されている。中間転写画像処理部６６にはサーマルヘッド１９の印字動作を制御するヘッド制御部６４が接続されている。
【００４５】
ヒータ温度制御部６０には制御回路を介してヒートローラ３５のヒータ６５が接続されている。通帳類搬送制御部６１には制御回路を介して通帳類搬送機構２ａ、通帳類取込機構４ａ、ページ検知部４ｂ、ページ捲り機構６ａ及び排出ゲート制御部１１ａが接続されている。
【００４６】
画像形成制御部６２には制御回路を介して転写リボン搬送機構３２ａ、サーマルヘッド１９を移動させるヘッド移動機構１９ａ、ヒートローラ３５を回転させる回転機構３５ａが接続されている。
【００４７】
光学式文字認識部６９には第１及び第２の読取り光学系５，９が接続されている。無線ＩＣ読取／書込部７３には、無線ＩＣ Ｒ／Ｗユニット１０が接続されている。
【００４８】
次に、上記したように構成される通帳類印刷装置１の動作について説明する。
【００４９】
まず、図１に示す通帳類取込部４から通帳類Ｔが１冊のみ取出されてページめくり部６に搬送され（搬送工程）、ここで、通帳類Ｔの表紙が捲られて所定のページが開いた状態となる。この後、第１のＯＣＲ読取部５で通帳類Ｔそれぞれに付与されている固有情報４２が読み取られ（読取工程）、後で述べるように認識処理される。この認識処理された固有情報４２は、セキュリティ情報に追加され、サーマルヘッド１９に転送される黒印刷データとされる。
【００５０】
一方、このときには、図２に示すように送出側リール３２から中間転写リボン２１が繰り出され、そのホログラム位置を示すマークがセンサ３３によって検知される。このマーク検知結果を用いて中間転写リボン２１が印刷開始位置に制御される。
【００５１】
ついで、中間転写リボン２１の所定の位置に固有印刷情報（以下、セキュリティ情報という）等がサーマルヘッド１９により印刷される。印刷される情報は後述するようにＹ（イエロー），Ｍ（マゼンタ），Ｃ（シアン）の三原色のインクに加えて黒インクの４色重ね合せによるカラー印刷である。これら複数色の重ね合わせ印刷は、中間転写リボン２１がサーマルヘッド１９を色数と同じ回数往復することで、重ね合わせ印刷が行われる。また、印刷される情報は、反転画像であるという特徴がある。
【００５２】
このようにセキュリティ情報が印刷された中間転写リボン２１は順方向（ヒートローラ３５の方向）に巻き取られ、図６（ａ）に示すように経路途中の転写部マーク検知センサ３９によって中間転写リボン２１の位置が把握される。この把握結果に基づいて転写開始位置まで中間転写リボン２１が送られる。
【００５３】
また、このとき通帳類Ｔは、転写されるページが開かれた状態で図６（ｂ）に示すように取り込まれて、ヒートローラ３５に対して決められた位置に搬送される。転写されるページは、表紙見返しページでも、他の中紙ページでもかまわない。
【００５４】
このように互いに位置決めされた中間転写リボン２１と通帳類Ｔの該当ベージは、図６（ｃ）に示すように円周の一部が切り欠かれた形状の金属製ヒートローラ３５の回転と共に重ね合わされ、搬送と共に加圧加熱される。その後、図７に示すように通帳類Ｔに対して６０°〜１１０°の角度をもって転写リボンベース２６が引き上げられて、セキュリティ情報４６と受像兼接着層２９、ホログラム層２８の転写が完了し、図８に示すように固有情報４２、固有情報４２を含むセキュリティ情報４６及び所持人の顔画像４４が転写印刷される（印刷工程）。転写印刷が完了した通帳類Ｔは、図６（ｄ）に示すようにページが開かれた状態のまま次の第２のＯＣＲ読取部９に搬送される。
【００５５】
一方、上記した第１のＯＣＲ読取部５で読み取られた通帳類Ｔの固有情報４２（この場合は文字）は光学式文字認識部６９で認識され、この認識結果が印刷装置制御部５８に送信される。印刷装置制御部５８では、データ入力制御部５０から送られてくる画像入力部５６で取得された所持人の顔画像データ、操作パネル５５で入力された所持人のセキュリティ文字情報などに通帳類固有の文字情報に基づいた印刷データを加えて処理を行い、生成部５８ａで印刷データを生成し（生成工程）、中間転写画像処理部６８に送信する。これにより、通帳類固有情報４２ａが付与されたセキュリティ情報４６が中間転写リボン２１の表面に印刷される。この通帳類固有情報４２ａとセキュリティ情報４６は通帳類Ｔに転写されて上記したように第２のＯＣＲ読取部９に搬送されて読み取られる。この読み取られた固有情報４２ａとセキュリティ情報４６とは光学式文字認識部６９で認識され、この認識結果が印刷装置制御部５８に送信される。印刷装置制御部５８では、判別部５８ｂでデータの照合処理を行い（判別工程）、判断した結果を通帳類搬送制御部６１に送信する。
【００５６】
判別部５８ｂでのデータの照合結果で不良と判断された場合には、印刷装置制御部５８からデータ入力制御部５０に対し、作成した通帳類が不良であったことを通知する。データ入力制御部５０では作成された通帳類が不良であったという通知を受信することに基づいて再度同一の印刷処理命令を印刷装置制御部５８に送信し、自動的に通帳類の再作成を行わせる。
【００５７】
通帳類搬送・制御部６１では照合の結果から、正常通帳類であれば正常通帳類集積部１２へ、不良通帳類であれば不良通帳類集積部１３へ搬送制御を行うが、判別部５８ｂでの照合結果で不良と判断した場合は、無線ＩＣ Ｒ／Ｗユニット１０にて、不良通帳類であることを知らせる旨のデータを通帳類Ｔの無線ＩＣ４３に記録する。
【００５８】
また、判別部５８ｂでのデータの照合結果が正しかった場合には、上述した中間転写印刷装置８の印刷動作で説明したように、第１のＯＣＲ読取部５で読み取った通帳類固有情報４２を光学式文字認識部６９が認識し、その認識結果を印刷装置制御部５８に送信している。従って、印刷装置制御部５８では、データ入力制御部５０から送られてきた、画像入力部５６で取得された所持人の顔画像データ、操作パネル５５で入力された所持人のセキュリティ文字情報などに通帳類固有の文字情報に基づいた記録データを加えて処理を行い、無線ＩＣへの記録データを生成し、無線ＩＣ Ｒ／Ｗ制御部７３に送信する。これにより、通帳類固有情報が付与されたセキュリティ情報が無線ＩＣＲ／Ｗユニット１０にて通帳類Ｔの無線ＩＣ４３に記録（書き込み）される。
【００５９】
ところで、上記した中間転写印刷部８は、図９に示すように構成されている。
【００６０】
即ち、図中８１は装置本体としての印刷機本体で、この印刷機本体８１内には、印刷ユニットとしてのサーマルヘッドユニット８２が設けられている。また、印刷機本体８には開閉自在に転写ユニット８３が設けられている。サーマルヘッドユニット８２は支軸８２ａによって回動自在に支持され、転写ユニット８３は、支軸８３ａによって回動自在に支持されている。
【００６１】
印刷機本体８１内の上部側には、図１０にも示すような開放規制手段としての第１の規制リンク８５と、図１１にも示すような移動規制手段としての第２の規制リンク８６が取り付けられている。第１及び第２の規制リンク８５，８６は、支軸８５ａ、８６ａを中心にして約５度程度回転できるようになっている。第１及び第２の規制リンク８５，８６との間には隙間が形成され、お互いに接触することなく回転し、動作に影響を及ぼすことはない。
【００６２】
サーマルヘッドユニット８２の回動端部側には、円筒状の規制リンクフォロワー８８が取付けられている。この規制リンクフォロワー８８はサーマルヘッドユニット８２の回転にともなってサーマルヘッドユニット８２の支軸８２ａを中心とした回転軌跡をえがく。
【００６３】
転写ユニット８３の上部側には、ロック解除レバー９０が支軸９０ａを介して回動自在に取り付けられている。また、ロック解除レバー９０と支軸９０ａを共有する形で、切欠部９２ａをもつ開閉規制プレート９２及びロックレバー９３が取り付いている。開閉規制プレート９２には円筒状の規制リンクフロワー９４が取り付けられ、これはロック解除レバー９０の回転にともなってロック解除レバー９０の回転中心９０ａを中心とした回転軌跡をえがく。ロックレバー９３の先端フック部は装置本体８１に突設されたロックピン９５に係脱されるようになっている。
【００６４】
サーマルヘッドユニット８２は、消耗品であるインクリボン２２の交換を容易にするために、上方に退避する構造となっている。即ち、サーマルヘッドユニット８２のロック解除レバー１００を操作してロックレバー１０１を装置本体８１に突設されたロックピン１０２から離脱させることにより、サーマルヘッドユニット８２のロックを解除できる。このロック解除により、サーマルヘッドユニット８２を開閉支点８２ａを中心に約３５度開いて退避位置に退避させることができるようになっている。
【００６５】
サーマルヘッドユニット８２が退避位置に退避すると、ロックレバー１０４がサーマルヘッドユニット８２に突設されたロックピン１０５に係合してロックされる。ロック解除レバー１０６の操作によりロックレバー１０４がロックピン１０５から離脱され、サーマルヘッドユニット８２は退避位置から印字位置への移動が可能になる。
【００６６】
一方、転写ユニット８３は、消耗品である中間転写フィルム２１の交換が容易にできるようにするため、或いは、通帳類の搬送ガイド板の清掃などのために、大きく開く構造となっている。
【００６７】
即ち、転写ユニット８３のロック解除レバー９０を操作してロックレバー９３をロックピン９５から離脱させることにより、転写ユニット８３のロックが解除される。これにより、転写ユニット８３はその開閉支点８３ａを中心に約７０度開くことが可能となる。
【００６８】
転写ユニット８３が開放された状態をロックするロック機構はなく、転写ユニット８３は自重でその開放状態を保つ。
【００６９】
転写ユニット８３にはサーマルヘッド１９を位置決めするための位置決めブロック１０８が取付けられている。この位置決めブロック１０８は、機能的な要求から、サーマルヘッド１９と対向するプラテンローラ２０の近傍に設けられ、その先端部がサーマルヘッド１９側に突出されている。このため、サーマルヘッド１９がプラテンローラ２０に対向する状態で転写ユニット８３を開閉した場合には、位置決めブロック１０８とサーマルヘッド１９とが衝突してしまう位置関係となっている。
【００７０】
従って、転写ユニット８３を開閉する場合には、サーマルヘッド１９と位置決めブロック１０３とが衝突しないようにサーマルヘッドユニット８２を退避位置に退避させることが必須となる。
【００７１】
次に、サーマルヘッドユニット８２が図１２に示すように印字位置にセットされた状態で、転写ユニット８３を開放しようとした場合について説明する。
【００７２】
サーマルヘッドユニット８２が印字位置にセットされた状態では、第１の規制リンク８５は第１の付勢部材としてのバネ９６に引っ張られ、ストッパ９８に接触した位置で静止している。この状態から転写ユニット８３のロックを解除するために、ロック解除レバー９０を矢印で示すように下方に押し下げようとすると、第１の規制リンク８５の右側の端部８５ｂと開閉規制プレート９２の切欠部９２ａとが噛み合う。このため、ロック解除レバー９０を押し下げることができなくなり、ロックレバー９３の先端係止部をロックピン９５から離脱させることができない。これにより、転写ユニット８３のロックを解除することができず、転写ユニット８３を開放することはできなくなる。
【００７３】
次に、サーマルヘッドユニット８２が図１３に示すように退避位置にセットされた状態で、転写ユニット８３を開放しようとした場合について説明する。
【００７４】
サーマルヘッドユニット８２を印字位置から退避位置へ退避させる場合には、ロック解除レバー１００を操作してロックレバー１０１の先端係止部をロックピン１０２から離脱させてロックを解除する。そして、この解除後、サーマルヘッドユニット８２を支軸８２ａを中心として反時計方向に回動させる。この回動によりサーマルヘッドユニット８２が退避位置に至ると、そのロックピン１０５がロックレバー１０４に係止されてロックされる。このとき、第１の規制リンク８５の左側の端部８５ａが、規制リンクフォロワー８８によって押し上げられる。これにより、第１の規制リンク８５が支軸８５Ａを中心として時計方向に回動され、その右側の端部８５bと開閉規制フレート９２の切欠部９２ａとの嵌合が解除される。従って、ロック解除レバー９０を下方に回動すると、ロックレバー９３の先端係合部がロックピン９５から離脱されてロック状態が解除され、転写ユニット８３の開放が可能となる。
【００７５】
次に、転写ユニット８３が図１４に示すように完全に閉じているときに、サーマルーツドユニット８２を印字位置に移動させる場合について説明する。
【００７６】
この状態では、第２の規制リンク８６は、サーマヘッド規制リンクフォロワー９４によって右側の端部８６ｂが押された位置で静止している。この状態から、ロック解除レバー１０６を操作してロックレバー１０４をロックピン１０５から離脱させてロックを解除する。このロック解除後、サーマルヘッドユニット８２を支軸８２ａを中心にして時計方向に回動して印字位置へと移動させることができる。
【００７７】
次に、転写ユニット８３が図１５に示すように開いている状態において、サーマルーツドユニット８２を印字位置に移動させようとした場合について説明する。
【００７８】
この状態では、サーマルヘッド規制リンク８６は、第２の付勢部材としてのバネ１１０に引っ張られストッパ１１１に接触した位置で静止し、その左側の端部８６ａが規制リンクフォロワー８８に対向されている。
【００７９】
この状態から、ロック解除レバー１０６を操作してロックレバー１０４をロックピン１０５から離脱させてロックを解除してサーマルーツドユニット８２を時計方向に回動しようとすると、規制リンクフォロワー８８が第２の規制リンク８６の左側の端面８６ａに当接し回動が規制される。
【００８０】
これにより、サーマルヘッドユニット８２はそれ以上移動することができなくなり、結果としてサーマルヘッドユニット８２を印字位置へと移動させることはできなくる。
【００８１】
上記したように、この実施の形態によれば、サーマルヘッドユニット８２が退避したのに基づいて転写ユニット８３の開放を可能とするため、転写ユニット８３の開放時にサーマルヘッドユニット８２のサーマルヘッド１９が位置決めブロック１０８に衝突することがなく、破損を防止することができる。
【００８２】
また、転写ユニット８３が開放した状態では、サーマルヘッドユニット８２の印字位置への移動を規制するため、転写ユニット８３の閉塞時にサーマルヘッドユニット８２のサーマルヘッド１９が位置決めブロック１０８に衝突することがなく、破損を防止することができる。
【００８３】
なお、本発明は、上記した実施の形態に限られることなく、その要旨の範囲内で種々変形実施可能なことは勿論である。
【図面の簡単な説明】
【００８４】
【図１】本発明の一実施の形態である通帳類印刷装置を概略的に示す構成図。
【図２】同通帳類印刷装置に備えられる転写印刷部を示す構成図。
【図３】同転写印刷部で用いられる転写リボンを示すもので、（ａ）はその第１の例、（ｂ）はその第２の例、（ｃ）はその第３の例を示す構成図。
【図４】同通帳類印刷装置で用いられる通帳類を開いた状態で示す平面図。
【図５】同通帳類印刷装置の制御部を示す制御ブロック図。
【図６】同転写印刷部の転写動作を示す図。
【図７】同転写印刷部の転写動作の一部を拡大して示す図。
【図８】同通帳類印刷装置で印刷された通帳類を示す平面図。
【図９】同転写印刷部の構成を示す図。
【図１０】同転写印刷部のサーマルヘッドの移動を規制する規制リンクを示す図。
【図１１】同転写印刷部の転写ユニットの開閉動作を規制する規制リンクを示す図。
【図１２】同転写印刷部のサーマルヘッドが印字位置に位置した状態で転写ユニットを開放しようとした場合を示す図。
【図１３】同転写印刷部のサーマルヘッドが退避位置に退避した状態で転写ユニットを開放する場合を示す図。
【図１４】同転写印刷部の転写ユニットが閉じた状態でサーマルヘッドを印字位置へ移動させる場合を示す図。
【図１５】同転写印刷部の転写ユニットが開放した状態でサーマルヘッドを印字位置へ移動させようとした場合を示す図。
【符号の説明】
【００８５】
１６…印刷部（印刷手段）、１７…転写部（転写手段）、１９…サーマルヘッド（印字ヘッド）、２１…中間転写リボン（中間転写体）、２２…インクリボン（転写体）、２９…受像層、Ｔ…通帳類（被転写体）、８１…印刷機本体（装置本体）、８２…サーマルヘッドユニット（印刷ユニット）、８３…転写ユニット、８５…第１の規制リンク（開放規制手段）、８６…第２の規制リンク（移動規制手段）、９０…ロック解除レバー（ロック解除手段）、９３…ロックレバー（ロック手段）、９６…バネ（第１の付勢部材）、１０８…位置決めブロック（位置決め手段）、１１０…付勢部材。
【図１】
2006175671.tif 000003
【図２】
2006175671.tif 000004
【図３】
2006175671.tif 000005
【図４】
2006175671.tif 000006
【図５】
2006175671.tif 000007
【図６】
2006175671.tif 000008
【図７】
2006175671.tif 000009
【図８】
2006175671.tif 000010
【図９】
2006175671.tif 000011
【図１０】
2006175671.tif 000012
【図１１】
2006175671.tif 000013
【図１２】
2006175671.tif 000014
【図１３】
2006175671.tif 000015
【図１４】
2006175671.tif 000016
【図１５】
2006175671.tif 000017